(57)【要約】【課題】本発明は、マッサージ器具、特に指掌押圧による指圧ならびに指および手のひらの血流の改善のための器具に関する。【解決手段】器具の把持部の通気性を向上させることによって汗の器具への付着を防止できることに着目し、本発明をなした。すなわち本発明は、第１の態様において、一対の支持体１１，１２と、該支持体１１，１２間に架設されている、２本以上の弾性把持部１３とを備える、指掌押圧具１を提供する。【選択図】図１
2013070982.tif 000002
【特許請求の範囲】
【請求項１】
一対の支持体と、該支持体間に架設されている、２本以上の弾性把持部とを備える、指掌押圧具。
【請求項２】
弾性把持部が各々外側に向かってわん曲する、請求項１に記載の指掌押圧具。
【請求項３】
弾性把持部に１個以上の突起を設けた、請求項１または２に記載の指掌押圧具。
【請求項４】
１個以上の粒状体が前記弾性把持部に数珠状に保持されている、請求項１または２に記載の指掌押圧具。
【請求項５】
粒状体が、それを保持する弾性把持部を中心として回転可能に保持されている、請求項４に記載の指掌押圧具。
【発明の詳細な説明】
【技術分野】
【０００１】  本発明は、マッサージ器具、特に指掌押圧による指圧、指関節のリハビリ（例えば稼働域の確保、筋力増強など）ならびに指および手のひらの血流の改善のための器具に関する。
【背景技術】
【０００２】  手で握り込むことによって指や手のひらを押圧してマッサージする器具として、ウレタンボールのような弾性の器具がある。よりマッサージ効果を高めるために、前記器具表面に突起を設けることも行われている。
【先行技術文献】
【非特許文献】
【非特許文献１】ＳＡＭＭＯＮＳ  ＰＲＥＳＯＮ  １９９６，１１頁
【発明の概要】
【発明が解決しようとする課題】
【０００３】  このような器具を用いてマッサージすると、指掌の血流が改善され、発汗が促される。そうすると、器具表面に汗が付着するため、器具を取り落とす危険が増したり、不衛生の問題が生じる。
【課題を解決するための手段】
【０００４】  そこで本発明者は、鋭意研究の結果、器具の把持部の通気性を向上させることによって汗の器具への付着を防止できることに着目し、本発明をなした。
すなわち本発明は、第１の態様において、一対の支持体と、該支持体間に架設されている、２本以上の弾性把持部とを備える、指掌押圧具を提供する。さらなる態様において、前記弾性把持部は、各々外側に向かってわん曲する。【０００５】  本発明は、さらなる態様において、前記弾性把持部に１個以上の突起を設けた前記指掌押圧具を提供する。
別の態様において、本発明は、１個以上の粒状体が前記弾性把持部に数珠状に保持されていることを特徴とする、上記指掌押圧具も提供する。当該粒状体は、好ましい態様において、それを保持する弾性把持部を中心として回転可能に保持されている。
【発明の効果】
【０００６】  弾性把持部を手で握り込むことによって、該把持部が指掌を押圧しながら内側に撓み、握る力を弱めることによって弾性把持部が次第に元の状態へと復帰する。この動作を反復することで、容易に指掌押圧による指圧ならびに指および手のひらの血流の改善をはかることができる。
また、弾性把持部を手で握り込むという動作によって、握力の強化も期待できる。特に、ケガなどにより手の機能を損なった患者のリハビリテーションにおいて、握力の回復のための運動が必要となり、そのような運動に先立って手の血流を改善するマッサージを行うことが効果的であるが、本発明の指掌押圧具を用いることによって、マッサージと握力回復運動を同時に行うことができ、より効果的なリハビリテーションが期待できる。
【図面の簡単な説明】
【０００７】
【図１】一対の支持体１１，１２と、該支持体間に架設されている、各々外側に向かってわん曲する弾性把持部１３と、該弾性把持部に数珠状に保持された粒状体１４を備える、指掌押圧具１を示す斜視図である。
【図２】一対の支持体１１，１２と、該支持体間に架設されている、各々外側に向かってわん曲する弾性把持部１３と、該弾性把持部に数珠状に保持された粒状体１４を備える、指掌押圧具１を示す正面図である。
【発明を実施するための形態】
【０００８】  以下、本発明の実施の形態を図面を参照しながら詳細に説明する。
本発明の指掌押圧具１は、一対の支持体１１，１２と、該支持体間に架設されている、２本以上の弾性把持部１３とを備えることを本質的な特徴とする。支持体１１，１２と弾性把持部１３は固定されていればよく、例えば支持体１１，１２と弾性把持部１３とが接合されていても、支持体１１，１２に弾性把持部１３が差し込まれていてもよい。支持体１１，１２は該支持体間に架設されている弾性把持部１３を束ねる機能を有しさえすればいかなるものを用いてもよく、典型的には、金属、プラスチック、木材等である。弾性把持部１３は、手で握り込むことによって、弾性把持部１３が指掌を押圧しながら内側に撓み、握る力を弱めることによって該把持部１３が次第に元の状態へと復帰するものであり、限定されないが典型的には金属、プラスチック等からなる、線条または板状体である。弾性把持部１３は、各々外側に向かってわん曲することによって、弾性把持部１３が内側に撓む距離を稼ぐことができるうえ、指掌内側の曲線に沿う形状を有し、したがって操作中の取り落としの危険をより減少させることができる。
【０００９】  本発明の指掌押圧具１は、ボールのように全体が把持部である指掌押圧具とは異なり、複数の線条または板状の弾性把持部１３を備える構造を有するため、弾性把持部１３間の空隙が存在し、この空隙の存在によって指掌押圧具１の弾性把持部１３の通気性が向上し、したがって指掌からの汗が速やかに蒸散することによって、汗が指掌押圧具１３に付着することを防止できる。
【００１０】  好ましい形態における本発明の指掌押圧具１は、弾性把持部１３に１個以上の突起を設けるか、あるいは１個以上の粒状体１４が弾性把持部１３に数珠状に保持されていてもよい。突起または粒状体１４は、握り込む指掌をより効果的に押圧することができ、本発明の指掌押圧具１の指圧効果をより高めるものである。突起または粒状体１４は、弾性把持部１３と同一または異なる材料を用いてよく、例えば突起は弾性把持部１３と一体であってよく、例えば粒状体１４は、弾性把持部１３によって保持される石、ウレタン、プラスチック等であってよい。突起または粒状体１４は、１つの弾性把持部１３につき１個以上、例えば１〜３０個、３〜２５個または５〜２０個であってよい。突起または粒状体１４の大きさは、弾性把持部１３に設けることができるか、保持できる限り、特に限定されないが、１つの弾性把持部１３につき１個以上、例えば１〜３０個、３〜２５個または５〜２０個の突起を設け、あるいは粒状体１４を保持できる程度の大きさが好ましい。突起または粒状体１４の形状は、弾性把持部１３に設けることができるか、保持できる限り、特に限定されないが、球、楕円球、あるいは天然石のような不規則な形状であってもよい。粒状体１４は、好ましい態様において、それを保持する弾性把持部１３を中心として回転可能に保持されていてもよい。例えば不規則な形状を有する粒状体１４が回転することによって、不規則な指掌押圧点が生じ、よりマッサージ効果が高まる。
【符号の説明】
【００１１】１  指掌押圧具
１１  支持体
１２  支持体
１３  弾性把持部
１４  粒状体
【図１】
2013070982.tif 000003
【図２】
2013070982.tif 000004